(57)【要約】本発明は、光記録担体の記録面に放射ビームを照射することによりマーク及びランドを形成するための方法及び装置に関する。記録処理の間、読み取りパワーレベルは記録パワーレベル（記録速度）に依存して設定される。加えて、記録パルスの直後に冷却ギャップが提案される。記録の間の読み取りは、より長いランドについてのみ行われる。本発明は、前記読み取りパワーを決定するための式が制御情報に含まれる光記録担体に関する。
2005534136.tif 000002
【特許請求の範囲】
【請求項１】
光記録担体に情報を記録する方法であって、放射ビームの記録パワーレベルで前記光記録担体の記録面に照射される記録パルスによって前記光記録担体に光読み取り可能なマークが形成され、前記放射ビームのバイアスパワーレベルで前記記録パルスの間のインターバルによって光読み取り可能なランドが形成され、記録処理の間、前記バイアスパワーレベルは、前記光記録担体に書き込まれた予め記録された情報を読み取るために読み取りパワーレベルに設定される方法において、前記読み取りパワーレベルは、前記記録パワーレベル及び記録速度のうちの少なくとも１つのパラメータによって決定されることを特徴とする方法。
【請求項２】
前記読み取りパワーレベルＰｒｅａｄは、式Ｐｒｅａｄ＝ｋ＊Ｐｒｅｃによって決定され、ここでｋは乗算定数であり、Ｐｒｅｃは前記記録パワーレベルである、請求項１に記載の方法。
【請求項３】
前記乗算定数ｋは０．０２乃至０．２の範囲にある、請求項２に記載の方法。
【請求項４】
前記記録パルスの間のインターバルの前記バイアスパワーレベルは、最初に冷却パワーレベルに設定され、次いで前記読み取りパワーレベルに設定され、前記冷却パワーレベルは前記読み取りパワーレベルよりも低い、請求項１乃至３のいずれか一項に記載の方法。
【請求項５】
最短のランドを形成するための前記インターバルの前記バイアスパワーレベルは冷却パワーレベルに設定され、より長いランドを形成するための前記インターバルの前記バイアスパワーレベルは、最初に前記冷却パワーレベルに設定され、次いで前記読み取りパワーレベルに設定され、データ信号中の基準クロックの１周期の時間長で表現される前記ランドの時間長は、ランレングス制限コードシーケンスによって決定される、請求項１乃至３のいずれか一項に記載の方法。
【請求項６】
光記録担体に情報を記録するための装置であって、
前記光記録担体の記録面を放射ビームで照射することにより、前記光記録担体に光読み取り可能なマーク及びランドのパターンを書き込む記録手段と、
記録処理の間に前記光記録担体に書き込まれた予め記録された情報を読み取り、読み取り信号を供給する読み取り手段と、
記録されるべき入力情報を、前記記録手段に供給される出力信号に変換する処理手段と、
を有し、前記出力信号は前記入力信号を表し、記録パルスと前記記録パルス間のインターバルに対応する装置において、
前記処理手段は、前記記録処理の間に、前記光記録担体に書き込まれた前記予め記録された情報を読み取るための放射の読み取りパワーレベルを決定するように構成され、前記読み取りパワーレベルは、記録パワーレベル及び記録速度のうちの少なくとも１つのパラメータによって決定されることを特徴とする装置。
【請求項７】
前記記録パワーレベル及び前記記録速度のうちの少なくとも１つのパラメータに依存して前記読み取りパワーレベルを決定するための式を保存するための保存手段を有する、請求項６に記載の装置。
【請求項８】
前記保存手段は、Ｐｒｅａｄ＝ｋ＊Ｐｒｅｃとなるような乗算係数ｋを有し、ここでＰｒｅｃは前記記録パワーレベルであり、Ｐｒｅａｄは前記読み取りパワーレベルである、請求項７に記載の装置。
【請求項９】
前記乗算定数ｋは０．０２乃至０．２の範囲にある、請求項８に記載の装置。
【請求項１０】
前記記録手段は、前記記録パルスの間のインターバルのバイアスパワーレベルを、最初に冷却パワーレベルに設定し、次いで前記読み取りパワーレベルに設定するように動作可能であり、前記冷却パワーレベルは前記読み取りパワーレベルよりも低い、請求項６乃至９のいずれか一項に記載の装置。
【請求項１１】
前記記録手段は、最短のランドを形成するためのインターバルの前記バイアスパワーレベルを冷却パワーレベルに設定するように動作可能であり、前記記録手段は、より長いランドを形成するためのインターバルの前記バイアスレベルを、最初に前記冷却パワーレベルに設定し、次いで前記読み取りパワーレベルに設定するように動作可能であり、データ信号中の基準クロックの１周期の時間長で表現される前記ランドの時間長は、ランレングス制限コードシーケンスによって決定される、請求項６乃至９のいずれか一項に記載の装置。
【請求項１２】
光読み取り可能なマーク及びランドのパターンを放射ビームによって形成可能な光記録担体であって、基板、制御情報及び情報記録エリアを有し、前記情報記録エリアは予め記録された情報を含む光記録担体において、前記制御情報は、記録処理の間、前記予め記録された情報を読み取るための放射ビームの読み取りパワーレベルを決定するための式を含み、前記読み取りパワーレベルは、記録パワーレベル及び記録速度のうちの少なくとも１つのパラメータによって決定されることを特徴とする光記録担体。
【請求項１３】
前記予め記録された情報は、前記情報記録エリアの周期的なトラックの変調に保存される、請求項１２に記載の光記録担体。
【請求項１４】
前記周期的なトラックの変調の周波数は、ディジタル位置情報信号によって変調される、請求項１３に記載の光記録担体。
【請求項１５】
前記基板上の前記制御情報は、Ｐｒｅａｄ＝ｋ＊Ｐｒｅｃとなるような乗算定数ｋを有し、ここでＰｒｅｃは前記記録パワーレベルであり、Ｐｒｅａｄは前記読み取りパワーレベルである、請求項１２乃至１４のいずれか一項に記載の光記録担体。
【請求項１６】
前記乗算定数ｋは０．０２乃至０．２の範囲にある、請求項１５に記載の光記録担体。
【発明の詳細な説明】
【技術分野】
【０００１】
本発明は、光記録担体に情報を記録する方法であって、放射ビームの記録パワーレベルで前記光記録担体の記録面に照射される記録パルスによって前記光記録担体に光読み取り可能なマークが形成され、前記放射ビームのバイアスパワーレベルで前記記録パルスの間のインターバルによって光読み取り可能なランドが形成され、記録処理の間、前記バイアスパワーレベルは、前記光記録担体に書き込まれた予め記録された情報を読み取るために読み取りパワーレベルに設定される方法に関する。
【０００２】
本発明はまた、光記録担体に情報を記録するための装置であって、前記光記録担体の記録面を放射ビームで照射することにより、前記光記録担体に光読み取り可能なマーク及びランドのパターンを書き込む記録手段と、記録処理の間に前記光記録担体に書き込まれた予め記録された情報を読み取り、読み取り信号を供給する読み取り手段と、記録されるべき入力情報を、前記記録手段に供給される出力信号に変換する処理手段とを有し、前記出力信号は前記入力信号を表し、記録パルスと前記記録パルス間のインターバルに対応する装置に関する。
【０００３】
本発明は更に、光読み取り可能なマーク及びランドのパターンを放射ビームによって形成可能な光記録担体であって、基板、制御情報及び情報記録エリアを有し、前記情報記録エリアは予め記録された情報を含む光記録担体に関する。
【背景技術】
【０００４】
前文に示された種類の記録方法は、「Compact Disc Recordable (CD-R) System Description」（「Orange Book」としても知られる）より知られている。ＣＤ−Ｒにデータを記録する場合、トラッキングの目的のため、ＡＴＩＰ（absolute time in pre-groove）情報をサンプリングするために記録パルス間に読み取りパワーレベルが適用される。ＣＤ−Ｒ規格において規定されているように、前記読み取りパワーレベルは0.7mWに設定される。ＣＤシステムの公称の定線速度（ＣＬＶ速度）は、1.2m/secと1.4m/secとの間である。しかしながら前記システムはまた、例えば前記公称速度の２４倍（24x）のような、より速い速度で動作するように規定される。より高い速度での記録は、光記録担体の記録面にマークを形成するための記録パワーレベルが、殆ど比例して増大させられることを必要とする。
【発明の開示】
【発明が解決しようとする課題】
【０００５】
知られている方法の欠点は、記録処理の間の読み取りパワーレベルが0.7mWに固定される場合、記録パワーレベルと読み取りパワーレベルとの間のダイナミックレンジが非常に大きくなるという点である。
【０００６】
本発明の目的は、記録パワーレベルと読み取りパワーレベルとの間の減少されたダイナミックレンジを提供する、前文に記載されたような種類の光記録の方法を提供することにある。
【課題を解決するための手段】
【０００７】
本目的は、前記読み取りパワーレベルが、前記記録パワーレベル及び記録速度のうちの少なくとも１つのパラメータによって決定されることを特徴とする、前文に記載されたような方法によって達成される。
【０００８】
記録パワーレベルは、記録速度に略線形に依存することが見出されている。それ故、本発明によれば、記録処理の間の読み取りパワーレベルは、記録パワーレベルに対する相対的な値として、又は記録速度に対する絶対的な値として決定され得る。例えば異なる超過速度要因について、読み取りパワーレベルが記録パワーレベルと記録速度との両方に依存する式も可能である。
【０００９】
読み取りパワーレベルと記録パワーレベルとの間の線形依存が適用される場合、前記線形依存の0.02乃至0.2の間のスケーリング因子が、記録されたマーク及びランドのジッタの許容できる値に帰着することも見出されている。
【００１０】
明確さのため、マークを形成するためにパルスを記録する間の放射ビームのパワーレベルは記録パワーレベルに設定されるが、記録パルス間の（即ちランドを形成するための）インターバルの間は、前記パワーレベルはバイアスパワーレベルに設定される。
【００１１】
読み取りパワーレベルの増大は、熱的な干渉効果（即ち、余熱及び後熱効果）に帰着する。記録パルスの直後に、記録パルス間のインターバルの間に冷却ギャップを導入すること（即ちバイアスパワーレベルを冷却パワーレベルに設定する）は、前記効果をかなり減少させることが見出された。加えて、かような冷却ギャップは、ジッタのパワーマージンを改善させ、ジッタ値を減少させる。前記冷却ギャップの後、ディスクに予め記録された情報（例えばＡＴＩＰ）を読み取るために、バイアスパワーレベルは読み取りパワーレベルに設定される。
【００１２】
マーク及びランドの時間長は、時間長Ｔ、即ちデータ信号における基準クロックの１周期に対して決定される。最短のマーク及びランドの時間長は、ランレングス制限（ＲＲＬ）コードシーケンスによって決定される。ＣＤシステムについては、前記ＲＲＬコードシーケンスは、３Ｔの時間長の最短のマーク及びランドに帰着するＥＦＭ（Eight to Fourteen Modulation）コードシーケンスである。最近のBlue-rayディスク（ＢＤ）システムについては、最短のマーク及びランドは２Ｔの時間長を持つ。
【００１３】
実際の利用においては、最短のランドを形成するための記録パルス間のインターバルの間のＡＴＩＰ情報の読み取りは省略される。それ故、最短のランドを形成するための記録パルスの間のインターバルの間は、バイアスパワーレベルが冷却パワーレベルにのみ設定される好適な実施例が提案される。一方、より長いランドを形成するためのインターバルの間は、バイアスパワーレベルは最初に冷却パワーレベルに設定され、次いで読み取りパワーレベルに設定される。
【００１４】
前文に記載されたような装置は、本発明によれば、前記処理手段が、前記記録処理の間に、前記光記録担体に書き込まれた前記予め記録された情報を読み取るための放射の読み取りパワーレベルを決定するように構成され、前記読み取りパワーレベルは、記録パワーレベル及び記録速度のうちの少なくとも１つのパラメータによって決定されることを特徴とする。
【００１５】
好適な実施例においては、前記装置が、前記記録パワーレベル及び前記記録速度のうちの少なくとも１つのパラメータに依存して前記読み取りパワーレベルを決定するための式を保存するための保存手段を備える。
【００１６】
前文に記載されたような光記録担体は、本発明によれば、前記制御情報が、記録処理の間、前記予め記録された情報を読み取るための放射ビームの読み取りパワーレベルを決定するための式を含み、前記読み取りパワーレベルは、記録パワーレベル及び記録速度のうちの少なくとも１つのパラメータによって決定されることを特徴とする。
【００１７】
好適な実施例においては、前記予め記録された情報は、前記情報記録エリアの周期的なトラックの変調に保存され、前記周期的なトラックの変調の周波数は、ディジタル位置情報信号（ＡＴＩＰ）によって変調される。
【００１８】
本発明はＣＤ−Ｒシステムを例として用いて説明されるが、本発明は代替の光記録システムにも適用され得ることは、当業者には明らかであろう。
【００１９】
本発明の目的、特徴及び利点は、添付する図において図示される、以下の本発明の実施例のより明確な説明より明らかとなるであろう。
【発明を実施するための最良の形態】
【００２０】
図１は、光記録媒体にマーク及びランドを記録するための放射ビームのパワーを制御するための制御信号を示す。記録処理は、シアニン色素型ＣＤ−Ｒディスクに24xの記録速度で実行された。マークが記録される場合、制御信号及びそれ故放射パワーレベルは、34mWの記録パワーレベルＰｒｅｃに設定される。記録処理の間の読み取りパワーレベルＰｒｅａｄは、24x用の固定の値として決定され、6mWに等しい。冷却パワーレベルＰｃｏｏｌは0.1mWに設定される。ランドが形成される場合は、前記制御信号及びそれ故バイアスパワーレベルは、最初に1.5Ｔの時間の間前記冷却パワーレベルに設定され、次いで前記読み取りパワーレベルに設定される。
【００２１】
図２もまた、光記録媒体にマーク及びランドを記録するための放射ビームのパワーを制御するための制御信号を示す。記録処理はここでも、シアニン色素型ＣＤ−Ｒディスクに24xの記録速度で実行された。マークが記録される場合、制御信号及びそれ故放射パワーレベルは、34mWの記録パワーレベルＰｒｅｃに設定される。記録処理の間の読み取りパワーレベルＰｒｅａｄは、24x用に前記記録パワーレベルの12％として決定され、それ故4mWに等しい。冷却パワーレベルＰｃｏｏｌは0.1mWに設定される。ＣＤ−Ｒシステムのランレングス制限コードシーケンスはＥＦＭ変調であり、それ故最短のマーク及びランドは、３Ｔの時間長を持つ。本実施例においては、前記最短のランドが形成されるべき場合には、バイアスパワーレベルが前記冷却パワーレベル、即ち0.1mWにのみ設定された。しかしながら、記録処理の間により長いランドが形成されるべき場合には、前記バイアスパワーレベルは最初に1.5Ｔの時間の間前記冷却パワーレベルに設定され、次いで所望のランドを形成するために必要な残りの時間の間、ＡＴＩＰ情報をサンプリングするために4mWの読み取りパワーレベルに設定された。
【００２２】
図３は、ディスク型の光記録担体の記録面上にデータ信号を記録するための、本発明による光記録装置を示す。前記光記録担体は、該光記録担体の中心のまわりに、モータによって回転させられる。放射ビームは放射源によって生成され、レンズによって前記記録面にフォーカスさせられる。
【００２３】
前記データ信号は処理手段６０に接続される。制御手段６０内の電流源は、３つの出力部Ａ、Ｂ及びＣを持つ。出力部Ａは、制御信号によって前記放射源に送られたときに、書き込みパワーレベルＰｒｅｃを持つ放射ビームを生成する電流を供給する。同様に出力部Ｂ及びＣはそれぞれ、読み取りパワーレベルＰｒｅａｄ及び冷却パワーレベルＰｃｏｏｌに帰着する電流を供給する。各出力部Ａ、Ｂ及びＣの電流は、前記処理手段内のスイッチユニットによって選択されることができる。前記スイッチユニットは、前記データ信号により制御されるパターン生成器により操作される。前記パターン生成器は、前記データ信号を制御信号へ変換する。前記処理手段はまた、前記電流源の出力部Ｂの電流を設定するための設定手段を有する。前記電流源の出力部Ｂの電流は、前記記録パワーレベルに依存して設定される。前記装置はまた、前記ディスクに書き込まれた予め記録された情報を読み取り、読み取り信号を供給するための読み取り手段を有する。
【００２４】
図４は、本発明による光記録媒体４０を平面図で示す。この記録担体は、基板、制御情報及び情報記録エリアを持つ。前記制御情報は、記録処理の間に前記予め記録された情報を読み取るための放射ビームの読み取りパワーレベルを決定するための式を含む。前記情報記録エリアは、螺旋状のウォブルを備えた一定の幅の螺旋状のグルーブ４１を有するトラックパターンの形で、予め記録された情報を含む。
【図面の簡単な説明】
【００２５】
【図１】光記録媒体にマーク及びランドを記録するための放射ビームのパワーを制御するための制御信号の図を示す。
【図２】他の実施例における、光記録媒体にマーク及びランドを記録するための放射ビームのパワーを制御するための制御信号の図を示す。
【図３】本発明による光記録装置を示す。
【図４】光記録媒体の平面図を示す。
【図１】
2005534136.tif 000003
【図２】
2005534136.tif 000004
【図３】
2005534136.tif 000005
【図４】
2005534136.tif 000006
【国際調査報告】
2005534136.tif 000007
2005534136.tif 000008
2005534136.tif 000009